(57)【要約】  本発明は、は未知の携帯電話の位置を特定し、そのような装置の探索を案内する方法、システム、基地ユニット（１０００）および探索ユニット（２０００）に関する。基地ユニット（１０００）の基地局機能によって、探索エリアの移動局（３０００）は、識別され、かつ専用の通信チャネルが割り当てられる。これは、基地ユニット（１０００）と探索エリアの移動局（３０００）との間の通信を確立することによってなされる。探索エリアの移動局（３０００）に関する探索情報は、基地ユニット（１０００）で確立される。探索情報は、基地ユニット（１０００）から探索ユニット（２０００）に転送される。探索情報に基づき探索が探索ユニット（２０００）によって開始される。
2010534016.tif 000002
【特許請求の範囲】
【請求項１】
無線周波数領域において動作する少なくとも１つの移動局（３０００）の探索を支援する、アンテナ配列（２１００）を含んだ少なくとも１つの探索ユニット（２０００）と、探索エリア内の移動局と通信するようにされた基地ユニット（１０００）とを備えた方法であって、
基地ユニット（１０００）と前記探索エリアの移動局（３０００）との間の通信の確立によって、前記基地ユニット（１０００）における基地局機能の手段に基づき、前記探索エリアの移動局（３０００）を識別し、前記移動局（３０００）用の専用の通信チャネルを設定するステップ（ｓ３５０およびｓ３６０）と、
移動局の識別子と前記探索エリアにおける各移動局（３０００）用の対応専用チャネルとを含む、前記探索エリアにおける各前記移動局に関する探索情報を、前記基地ユニット（１０００）において確立するステップと、
前記探索エリアの前記移動局（３０００）に関する前記探索情報を、前記基地ユニット（１０００）から前記少なくとも１つの探索ユニット（２０００）に転送するステップ（ｓ３７０）と、
前記探索エリアの前記少なくとも１つの移動局に関する前記探索情報を、前記少なくとも１つの探索ユニット（２０００）において提示するステップ（ｓ３８０）と、
前記少なくとも１つの探索ユニット（２０００）による、前記提示された探索情報に基づく前記探索エリアの少なくとも１つの前記移動局（３０００）の探索を開始するステップ（ｓ３９０）とを備えることを特徴とする方法。
【請求項２】
前記探索エリアにおける可能性のある他のアクティブな携帯無線通信ネットワークの基地局を検出するステップ（ｓ３００）によって特徴付けられる、請求項１に記載の方法。
【請求項３】
前記探索エリアにおける可能性のある他のアクティブな携帯無線通信ネットワークの信号強度を測定するステップ（ｓ３１０）によって特徴付けられる、請求項２に記載の方法。
【請求項４】
前記探索エリアにおけるアクティブであって可能性のある他の携帯無線通信ネットワークの基地局によって、どの周波数が使用されているかを、前記基地ユニット（１０００）において測定するステップ（ｓ３２０）によって特徴付けられる、請求項１〜３のいずれか１項に記載の方法。
【請求項５】
前記測定された周波数を前記基地ユニット（１０００）により妨害することにより、前記探索エリアの移動局（３０００）が前記他の携帯無線通信ネットワークと通信不可能とするステップによって特徴付けられる、請求項４に記載の方法。
【請求項６】
前記他の携帯無線通信ネットワークによって送信される前記周波数とは異なる周波数のＲＦ信号を前記基地ユニット（１０００）が送信することによって、前記探索エリアにおいて、前記基地ユニット（１０００）と前記移動局（３０００）との間の通信を確立するステップによって特徴付けられる、請求項３に記載の方法。
【請求項７】
前記基地ユニット（１０００）から前記探索エリアの前記移動局（３０００）に識別子要求を送信するステップと、前記探索エリアの前記移動局（３０００）から前記識別子要求基準応答を前記基地ユニット（１０００）において受信するステップとの２つのステップを繰り返し実行することによって、前記基地ユニット（１０００）と前記探索エリアの前記移動局（３０００）との間の通信を維持するステップによって特徴付けられる、請求項１に記載の方法。
【請求項８】
無線周波数領域において動作している少なくとも１つの移動局（３０００）の探索を支援するシステムであって、
アンテナ配列（１２００）と、無線手段（１２００）と、ユーザインターフェイス（１５００）と、無線インターフェイス（１３００）と、データベース（１４００）と、コンピュータ手段（１１００）とを含み、探索エリア内の移動局（３０００）と通信するようにされた可搬型の基地ユニット（１０００）と、
アンテナ配列（２１００）と、ユーザインターフェイス（２５００）と、無線インターフェイス（２４００）と、論理手段（２２００）とを含む少なくとも１つの探索ユニット（２０００）とを備えており、
前記基地ユニット（１０００）コンピュータ手段（１１００）は、前記アンテナ配列と前記無線手段（１２００）とによる前記探索エリアにおける基地ユニット（１０００）と移動局（３０００）との間の通信の確立によって、基地局機能の手段に基づき、前記探索エリアの移動局（３０００）を識別し、前記移動局（３０００）用の専用の通信チャネルを設定するようにされており、
前記基地ユニット（１０００）は、前記探索エリアの各前記移動局（３０００）に関する探索情報を前記データベース（１４００）において確立するようにされており、前記探索情報は、前記探索エリアの各移動局（３０００）の識別子と専用チャネルとを含み、
前記基地ユニット（１０００）は、前記探索エリアの移動局（３０００）に関する前記探索情報を、前記無線インターフェイス（１３００）によって前記少なくとも１つの探索ユニット（２０００）に転送するようにされており、
前記少なくとも１つの探索ユニット（２０００）は、前記探索エリアの前記移動局（３０００）に関する前記探索情報を、前記無線手段（２４００）によって前記基地ユニット（１０００）から受信するようにされており、
前記少なくとも１つの探索ユニット（２０００）は、前記探索エリアの少なくとも１つの前記移動局（３０００）に関する探索情報を、前記ユーザインターフェイス（２５００）によって提示するようにされており、
前記少なくとも１つの探索ユニット（２０００）は、前記ユーザインターフェイス（２５００）からの制御信号を受信するようにされた、アンテナ配列（２１００）と論理手段（２２００）とによって、前記提示された探索情報に基づいた、前記探索エリアの少なくとも１つの前記移動局（３０００）の探索を開始するように、および当該探索を支援するようにされていることを特徴とするシステム。
【請求項９】
前記基地ユニット（１０００）は、前記探索エリアにおける可能性のある他のアクティブな携帯無線通信ネットワークを検出するようにされていることを特徴とする請求項８に記載のシステム。
【請求項１０】
前記基地ユニット（１０００）は、前記探索エリアにおける可能性のある他のアクティブな携帯無線通信ネットワークの信号強度を測定するようにされていることを特徴とする請求項９に記載のシステム。
【請求項１１】
前記基地ユニット（１０００）は、前記探索エリアにおけるアクティブであって可能性のある他の携帯無線通信ネットワークの基地局によって、どの周波数が使用されているかを測定するようにされていることを特徴とする請求項８から１０のいずれか１項に記載のシステム。
【請求項１２】
前記基地ユニット（１０００）は、前記測定された周波数を妨害することにより、前記探索エリアの移動局（３０００）が前記他の携帯無線通信ネットワークと通信不可能とするようにされていることを特徴とする請求項１１に記載のシステム。
【請求項１３】
前記基地ユニット（１０００）は、前記他の携帯無線通信ネットワークによって送信される前記周波数とは異なる周波数のＲＦ信号を送信することによって、前記基地ユニット（１０００）と前記探索エリアの前記移動局（３０００）との間の通信を確立するようにされていることを特徴とする請求項１０に記載のシステム。
【請求項１４】
前記基地ユニット（１０００）は、前記基地ユニット（１０００）から前記探索エリアの前記移動局（３０００）に識別子要求を送信するステップと、前記探索エリアの前記移動局（３０００）から前記識別子要求基準応答を受信するステップとの２つのステップを繰り返し実行することによって、前記探索エリアの前記移動局（３０００）との通信を維持するようにされていることを特徴とする請求項８に記載のシステム。
【請求項１５】
無線周波数領域において動作している少なくとも１つの移動局の探索を支援する基地ユニット（１０００）であって、前記基地ユニット（１０００）は、アンテナ配列（１２００）と、無線手段（１２００）と、ユーザインターフェイス（１５００）と、無線インターフェイス（１３００）と、データベース（１４００）と、コンピュータ手段（１１００）とを備え、前記基地ユニット（１０００）は、前記無線周波数領域において検索エリア内で動作している移動局（３０００）と通信するようにされており、
前記基地ユニット（１０００）コンピュータ手段（１１００）は、前記アンテナ配列と前記無線手段（１２００）とによる基地ユニット（１０００）と前記探索エリアの移動局（３０００）との間の通信の確立によって、基地局機能の手段に基づき、前記探索エリアの移動局（３０００）を識別し、前記移動局（３０００）用の専用の通信チャネルを設定するようにされており、
前記基地ユニット（１０００）は、前記探索エリアの各前記移動局（３０００）に関する探索情報を前記データベース（１４００）において確立するようにされており、前記探索情報は、前記探索エリアの各移動局（３０００）の識別子と専用チャネルとを含み、
前記基地ユニット（１０００）は、前記探索エリアの移動局（３０００）に関する前記探索情報を、前記無線インターフェイス（１３００）によって前記少なくとも１つの探索ユニット（２０００）に転送するようにされていることを特徴とする基地ユニット（１０００）。
【請求項１６】
前記探索エリアにおける可能性のある他のアクティブな携帯無線通信ネットワークを検出するようにされていることを特徴とする請求項１５に記載の基地ユニット（１０００）。
【請求項１７】
前記探索エリアにおける可能性のある他のアクティブな携帯無線通信ネットワークの信号強度を測定するようにされていることを特徴とする請求項１６に記載の基地ユニット（１０００）。
【請求項１８】
前記探索エリアにおけるアクティブであって可能性のある他の携帯無線通信ネットワークの基地局によって、どの周波数が使用されているかを測定するようにされていることを特徴とする請求項１５から１７のいずれか１項に記載の基地ユニット（１０００）。
【請求項１９】
前記測定された周波数を妨害することにより、前記探索エリアの移動局（３０００）が前記他の携帯無線通信ネットワークと通信不可能とするようにされていることを特徴とする請求項１８に記載の基地ユニット（１０００）。
【請求項２０】
前記他の携帯無線通信ネットワークによって送信される前記周波数とは異なる周波数のＲＦ信号を送信することによって、前記探索エリアの前記移動局（３０００）と通信を確立するようにされていることを特徴とする請求項１７に記載の基地ユニット（１０００）。
【請求項２１】
前記探索エリアの前記移動局（３０００）に識別子要求を送信するステップと、前記探索エリアの前記移動局（３０００）から前記識別子要求基準応答を受信するステップとの２つのステップを繰り返し実行することによって、前記探索エリアの前記移動局（３０００）との通信を維持するようにされていることを特徴とする請求項１５に記載の基地ユニット（１０００）。
【請求項２２】
無線周波数領域において動作している少なくとも１つの移動局の探索を支援する探索ユニット（２０００）であって、探索ユニット（２０００）は、アンテナ配列（２１００）と、ユーザインターフェイス（２５００）と、無線インターフェイス（２４００）と、論理手段（２２００）とを備え、
前記探索ユニット（２０００）は、前記探索エリアの前記移動局（３０００）に関する前記探索情報を、前記無線手段（２４００）によって前記基地ユニット（１０００）から受信するようにされており、
前記探索ユニット（２０００）は、前記探索エリアの少なくとも１つの前記移動局（３０００）に関する探索情報を、前記ユーザインターフェイス（２５００）によって提示するようにされており、
前記探索ユニット（２０００）は、前記ユーザインターフェイス（２５００）からの制御信号を受信するようにされた、アンテナ配列（２１００）と論理手段（２２００）とによって、前記提示された探索情報に基づいた前記探索エリアの少なくとも１つの前記移動局（３０００）の探索を開始するように、および当該探索を支援するようにされていることを特徴とする探索ユニット（２０００）。
【請求項２３】
前記探索ユニット（２０００）は、前記無線インターフェイス（２４００）によって、探索結果と他の情報とを前記基地ユニット（１０００）に転送するようにされていることを特徴とする請求項２２に記載の探索ユニット（２０００）。
【発明の詳細な説明】
【技術分野】
【０００１】
本願発明は無線装置の探索を支援する方法、システムおよび装置に関する。特に本願発明は未知の携帯電話の位置を特定し、そのような装置の探索を案内する方法、システム、基地ユニットおよび探索ユニットに関する。
【背景技術】
【０００２】
送信された電波を用いて無線装置の位置を特定する技術は、従来から知られている。ある種の指向性アンテナを用いることによって、発信元の方向を知ることができる。それにより、装置の位置を知ることができる。同様に、複数の受信機に到達する信号の時間差を計測することによって、発信元への距離を測定することができる。そして、たとえば書籍“Wireless Communications”（by A.F. Molisch, Wiley, U.K. 2005）に示されているとおり、簡単な三角法またはさらに進んだパラメータ評価アルゴリズムを用いることによって、発信元の位置を評価することができる。
【０００３】
位置特定システムは、瓦礫または雪に埋もれた人を発見するために使用される。後者に関しては、送信された電波を検出するアクティブな無線装置を使用する技術、または救助隊によって送信された無線信号の特徴を変更するパッシブな装置を用いる技術といった２つの技術がある。雪に埋もれた人々の位置を特定するためにアクティブな雪崩ビーコンが効果的である。装置は送信機としてかつ受信機として機能することができる。このため、周囲に雪崩に巻き込まれていないそのような装置を着用した人がいる場合、探索をすぐに開始することができる。
【０００４】
たとえば雪に埋もれた人々の位置を特定する他の方法は、送信された無線信号の特徴をＵＳ４３３１９５７で使用されているある種の非線形挙動によってしばしば変更するパッシブな装置に基づいている。反射装置は、小さいアンテナと、受信した信号であって反射する前の信号に第２の高周波を追加する線形のコンポーネントとである。この第２の高調波は、元信号を送信もする探索装置によって検出される。パッシブな反射装置にとっては、電源供給は必要なく、反射装置のサイズを小さくできる。
【０００５】
アクティブな無線ベースの位置決めのために、原則として無線トランスミッタを用いることができる。呼出や呼出の試みがなされたときに、たとえばＵＳ６１４１５５８に示されているように、アクティブな携帯電話の位置を特定することを目的としたシステムが数多く提案されている。呼出の間、携帯電話は検出され得る無線信号を連続して送信する（しばしば無線信号をバーストする）。それゆえ、いくつかの方向判断装置によって上記装置の方向と位置とを発見することができる。装置の識別子が知られている場合、携帯電話システムは、携帯電話と通信を開始することができる。しかしながら、大抵の場合、識別子は、たとえば雪や瓦礫に埋まった人々には知られていない。
【０００６】
上述したように、たとえば雪や瓦礫に埋もれた人々の位置を決定するために、無線装置を使用することが可能である。アクティブビーコンまたはパッシブな反射装置に基づく現在のベースとなる方法は、十分機能するが、それらは広く利用されていない。それゆえ、多くの救助業務に役に立たない。また、アクティブビーコンの場合、探索業務を可能とするためには電力を必要とする。
【０００７】
ＥＳ０２１５６５５２Ａ１には、未知の携帯電話に基地局を変化させ、受信機により検出される位置更新メッセージを携帯電話が送信することによって、未知の携帯電話を検出する方法が示されている。この方法は、たとえば飛行機または病院などの携帯電話のトラフィックがある種制限されたエリアにおいて使えるようにされた（電源が投入された）携帯電話を検出することを目的とする。しかしながら、この方法は、探索業務において携帯電話の位置を特定するためには有効ではない。なぜなら、この方法の主目的は、システムの受信エリアにおいてアクティブな携帯電話があるかどうかを判断することであり、携帯電話の位置を正確に特定することではないためである。 “Experimental real-time detector of GSM terminals”by Vales-Alonso et al, IEEE Communications Letters, Vol.7, Issue 3, pp 148-149, 2003,に示されているように、ただ１つの位置更新メッセージが送信されるという事実のために、位置を特定する処理は現実できない。
【０００８】
たとえば携帯電話のように他のさらに広く利用されている無線装置は、位置の特定にも使用することができ、それゆえ救助業務においては有益である。携帯電話に基づく今日の技術の問題点は、１または複数の以下の欠点として要約することができる
・ユーザは呼出を開始しなければならず、これは多くの場合不可能である。
・携帯装置の識別子は知られていない。
・位置の評価において上記の技術は満足な精度ではない。
・上記の技術は、携帯ネットワークの制御センタにアクセスしなければならない。
・上記の技術は、携帯電話を検出できるが、携帯電話の位置を特定することができない。
【発明の概要】
【発明が解決しようとする課題】
【０００９】
本発明の目的は、移動局の探索を支援することにある。本発明は、雪崩の犠牲者の位置を特定する必要がある雪崩の状況において特に有効である。本発明は可搬型の基地ユニットと当該基地ユニットと通信をする１または複数の探索ユニットによって、そのような犠牲者の探索を支援する。
【課題を解決するための手段】
【００１０】
本発明は、ある局面では、無線周波数領域において動作する少なくとも１つの移動局の探索を支援する方法に関する。当該方法は、アンテナ配列を含んだ少なくとも１つの探索ユニットと、探索エリア内の移動局と通信するようにされた基地ユニットとを備える。
【００１１】
基地ユニットにおける基地局機能によって、探索エリアにおける移動局は、識別され、かつ専用の通信チャネルが割当てられる。これは、基地ユニットと探索エリアの移動局との通信の確立によって実現される。移動局の識別子と探索エリアにおける各移動局用の対応専用チャネルとを含む、前記探索エリアにおける各前記移動局に関する探索情報は、基地ユニットにおいて確立される。探索エリアの移動局に関する探索情報は、基地ユニットから少なくとも１つの探索ユニットに転送される。
【００１２】
探索エリアの少なくとも１つの移動局に関する探索情報は、少なくとも１つの探索ユニットにおいて提示される。少なくとも１つの探索ユニット（２０００）による、提示された探索情報に基づく探索エリアの少なくとも１つの移動局（３０００）の探索が開始される。
【００１３】
第２の局面においては、本発明は、無線周波数領域において動作する少なくとも１つ移動局の探索を支援するシステムに関する。当該システムは、順に、アンテナ配列と、無線手段と、ユーザインターフェイスと、無線インターフェイスと、データベースと、コンピュータ手段とを含む可搬型の基地ユニットを備える。当該基地ユニットは、探索エリア内の移動局と通信するようにされている。システムは、順に、アンテナ配列と、ユーザインターフェイスと、無線インターフェイスと、論理手段とを含む少なくとも１つの探索ユニットも備える。
【００１４】
基地ユニットのコンピュータ手段は、基地局機能の手段に基づき、探索エリアの移動局を識別し、移動局用の専用の通信チャネルを設定するようにされている。これは、アンテナ配列と無線手段とによる探索エリアにおける基地ユニットと移動局との間の通信の確立によって実現される。
【００１５】
基地ユニットは、探索エリアの各移動局に関する探索情報をデータベースにおいて確立するようにされており、探索情報は、探索エリアの各移動局の識別子と専用チャネルとを含む。
【００１６】
さらに、基地ユニットは、探索エリアの移動局に関する探索情報を、無線インターフェイスによって少なくとも１つの探索ユニットに転送するようにされている。
【００１７】
少なくとも１つの探索ユニットは、探索エリアの移動局に関する探索情報を、探索ユニットにおける無線手段によって基地ユニットから受信するようにされている。
【００１８】
少なくとも１つの探索ユニットは、探索エリアの少なくとも１つの移動局に関する探索情報を、ユーザインターフェイスによって提示するようにされている。
【００１９】
最後に、少なくとも１つの探索ユニットは、ユーザインターフェイスからの制御信号を受信するようにされた、アンテナ配列と論理手段とによって、提示された探索情報に基づいた、探索エリアの少なくとも１つの移動局の探索を開始するように、および当該探索を支援するようにされている。
【００２０】
本発明の第３の局面に従うと、無線周波数領域において動作する少なくとも１つの移動局の探索を支援する基地ユニットが提供される。基地ユニットは、アンテナ配列と、無線手段と、ユーザインターフェイスと、無線インターフェイスと、データベースと、コンピュータ手段とを備える。基地ユニットは、無線周波数領域において検索エリア内で動作している移動局と通信するようにされている。
【００２１】
基地ユニットのコンピュータ手段は、基地局機能の手段に基づき、探索エリアの移動局）を識別し、移動局用の専用の通信チャネルを設定するようにされている。これは、アンテナ配列と無線手段とによる基地ユニットと探索エリアの移動局との間の通信の確立によって実現される。
【００２２】
さらに、基地ユニットは、探索エリアの各移動局に関する探索情報をデータベースにおいて確立するようにされている。探索情報は、探索エリアの各移動局の識別子と専用チャネルとを含む。
【００２３】
基地ユニットは、探索エリアの移動局に関する探索情報を、少なくとも１つの探索ユニットに転送するようにされている。これは、無線インターフェイス（１３００）によってなされる。
【００２４】
第４の局面において、本発明は、無線周波数領域において動作している少なくとも１つの移動局の探索を支援する探索ユニットに関する。探索ユニットは、アンテナ配列と、ユーザインターフェイスと、無線インターフェイスと、論理手段とを備える。
【００２５】
探索ユニットは、探索エリアの移動局に関する探索情報を、探索ユニットにおける無線手段によって基地ユニットから受信するようにされている。ユーザインターフェイスによって、探索ユニットは、探索エリアの少なくとも１つの移動局に関する探索情報を提示するようにされている。
【００２６】
探索ユニットは、ユーザインターフェイスからの制御信号を受信するようにされた、アンテナ配列と論理手段とによって、提示された探索情報に基づいた探索エリアの少なくとも１つの移動局の探索を開始するように、および当該探索を支援するようにもされている。
【００２７】
本発明のさらなる実施例は、明細書および従属クレームに明記されている。
本発明に従った方法およびシステムは、数多くの有利な点を有する。このような有利な点は、たとえば以下の点である。
・たとえば、いずれか未知の移動局との通信にはセットアップおよび認証または暗号化の使用の必要がないため、基地ユニットの機能は最小限のレベルで維持され得る。
・移動局に異なるチャネルを割当てることより移動局を識別することにより、探索ユニットのハードウェア要件を低くできる。探索ユニットは、送信されてきた信号を完全に解釈する必要がなく、チャネルを把握さえすればよいためである。
・当該システムは、潜在的な犠牲者に対し、発見されるための行動をとることを要求しない。
・当該システムは、救助作業者に対して、ＧＳＭ互換性がある電話（ＧＳＭ機能を有するＵＭＴＳ電話も含む）を身に付けた全ての犠牲者を発見するための無線ベースの位置評価を利用する可能性を与えるであろう。
・当該技術は、世界中において、現在のところ2,000,000,000以上の存在し、かつ増えている、全ての一般のＧＳＭ移動局（ＧＳＭ電話＋ＳＩＭカード）と互換性がある。
・当該システムは、他の基地局の存在、またはネットワークオペレータの協力を必要としない。
・当該システムは、他の雪崩救助システムと干渉しない。
・当該システムは、雪崩救助での利用に限定されない。基地局またはオペレータの協力がない状態において、エリアに存在する全ての移動局を数えること、送信を強制すること、またはさらにメッセージを受信することが必要な全てのアプリケーションは、提案したシステムで実現できる。
・使用する技術は、良く知られており、十分に広まっている。
【００２８】
さらなる有利な点および本願発明の目的は、特に添付した図面を参照して、より詳細に説明されるであろう。
【図面の簡単な説明】
【００２９】
【図１】本願発明に係るシステムの概略ブロック図を示している。
【図２】基地ユニットと移動局との間の信号伝達抜粋例のブロック図を示している。
【図３】本願発明に係る方法の一般的な流れのブロック図を示している。
【図４】本発明が用いられるシナリオ例に関する地図を示している。
【発明を実施するための形態】
【００３０】
次に、対応する図面を参照して、本願発明をより詳細に説明する。
特に、次の略語は、明細書において以下のように用いられる。
【００３１】
ＰＬＭＮ：公有地移動ネットワーク（Public Land Mobile Network）
ＩＭＳＩ：国際移動加入者識別子（International Mobile Subscriber Identity）
ＴＩＭＳＩ：テンポラリー国際移動加入者識別子（Temporary International Mobile Subscriber Identity）
ＢＣＨ：報知チャネル（Broadcast CHannel）
ＲＡＣＨ：ランダムアクセスチャネル（Random Access CHannel）
ＡＧＣＨ：アクセス許可チャネル（Access Granted CHannel）
ＳＤＣＣＨ：スタンドアロン専用制御チャネル（Stand-alone Dedicated Control CHannel）
ＬＡＩ：ロケーションエリア識別子（Location Area Identity）
ＬＵ：位置更新（Location Update）
次の例は、本願発明をいくつかの方法、形、または形式で、明白にまたは暗に説明するが、これに限定されるものではない。
【００３２】
システムは、中央ユニットと、基地ユニットと、少なくとも１つの手に持って操作できる探索ユニットとを備える。基地ユニットは、基地局の振る舞いを真似し、指定された範囲内にいるすべての移動局に送信をさせる。探索ユニットは、電話が送信した方向を無線ベースで評価することによって電話の位置決めを行なうために用いられる。
【００３３】
図１は、本発明に係るシステムの実施例を示している。
基地ユニット１０００は、移動局３０００（たとえばＧＳＭ携帯電話およびＳＩＭカード）と救助作業で使用されるすべての探索ユニット２０００との間の通信を行なう中央ユニットである。簡略化するために、図１には、ただ１つの移動局３０００が示されている。しかしながら、本発明に係るシステムは、いくつもの移動局３０００の探索を支援するために利用できる。基地ユニット１０００は、移動局３０００にとって通常の基地局のように見えるであろう。現実には、基地ユニット１０００の機能はとても限定されている。基地ユニット１０００は、ＧＳＭで用いられる信号をリアルタイムに変調または復調する可能性を備えている。ＰＣＳおよびＤＣＳ帯域を含む、ＧＳＭの機能を備えていることとは別に、基地ユニット１０００は、ＷＣＤＭＡ、ＣＤＭＡ２０００、およびＩＳ−９５のように他の携帯通信規格を処理する可能性を有している。基地ユニット１０００は、図１において、アンテナおよび無線機器１２００として示されるアンテナ配列、および無線手段を備えている。基地ユニット１０００は、コンピュータ１１００の形でコンピュータ手段も備える。コンピュータ１１００は、たとえば、マイクロプロセッサとしてＣＰＵ、もしくは入出力手段およびデータ格納手段またはメモリ手段を含む同様な処理手段を備える。コンピュータ１１００は、コンピュータ読取可能な記憶装置内に置かれた、ＧＳＭ信号伝達を制御するリアルタイムパーティション１１１０および小型データベース１４００を制御する非リアルタイムパーティション１１２０と、通信手段として機能する無線インターフェイス１３００とを備える。送受信機を含む無線インターフェイス１３００は、探索ユニット２０００との通信に用いられる。このインターフェイス１３００によって、よく知られたＩＥＥＥ  ８０２．１１規格が用いられる。これらの規格は要求される受信範囲を与え、かつ導入しやすいためである。コンピュータ１１００は、無線インターフェイス１３００を制御し、すべての取得された移動局３０００の割当てチャネルを含む情報をデータベース１４００から探索ユニット２０００に送る。コンピュータ１１００は、また、探索ユニット２０００からの解放命令によって、データベース１４００をアップデートする。この通信は、コンピュータ１１００の非リアルタイムパーティション１１２０によって処理される。データベース１４００は、これらの割当てられたチャネルを含む現在取得されている移動局３０００のリスト１４３０、すべての解放された移動局３０００のリスト１４１０、無視すべき移動局３０００のリスト１４２０、および各基地局からの測定されたＲＦパワーについての情報を伴った、エリアに存在する基地局（図示せず）のリスト１４４０のような数多くのリストを含んでいる。無視する移動局３０００のリスト１４２０は、探索エリアにおいてシステムのセットアップより前に、最初は基地ユニット１０００で確立できる。救助隊員によって運ばれる移動局３０００を含め、探索から除外されるべきすべての移動局３０００は、無視するリスト１４２０に保持される。解放する移動局３０００のリスト１４１０は、基地ユニット１０００の非リアルタイムコンピュータパーティション１���２０によってモニタされ、もしリスト１４１０に追加がある場合には追加された移動局３０００は解放される。いずれかの探索ユニット２０００のユーザは、取得された移動局３０００のリスト１４３０に示されたいずれかの移動局３０００を解放リスト１４１０に追加することができる。
【００３４】
基地ユニット１０００は、好ましくは可搬型である。基地ユニット１０００は、１人の人間によって容易に搬送できるように設計されている。基地ユニット１０００は、たとえばＬＣＤまたはＴＦＴスクリーンおよびカスタムキーボードを含むユーザインターフェイス１５００も備える。ユーザインターフェイス１５００は、基地ユニット１０００で実行することができるすべての必要な手動操作のために利用される。ユーザインターフェイス１５００は、コンピュータ１１００に接続されている。
【００３５】
探索ユニット２０００のメインの構成要素は、高い指向性を有するアンテナ２１００の形をしたアンテナ配列と、１または複数の通信チャネル、たとえばＧＳＭの場合時間−周波数スロットに対しロックを行なうＲＦ電子機器（ＲＦ電源測定ユニット）２３００とであり、任意のチャネルセットから受信したパワーを計測する。探索ユニット２０００は、基地ユニット１０００との通信および情報を基地ユニット（１０００）に転送するための通信手段として機能する無線インターフェイス２４００も含む。無線インターフェイス２４００は、ＲＦパワー測定ユニット２３００も制御する論理ユニット２２００の形をとった論理手段によって制御される。論理ユニット２２００は、たとえばマイクロプロセッサとしてのＣＰＵもしくは入出力手段とデータ格納手段またはメモリ手段とを含む同様の処理手段を備えることができる中央ユニットである。探索ユニット２０００の論理ユニット２２００は、無線インターフェイス２４００に対して、限られた数の予め定められたメッセージを送信および受信するためだけに必要であり、ＲＦパワー測定ユニットを制御し、いずれか一部のチャネルを計測する。探索ユニット２０００は、計測されたパワーを提示するためいずれの移動局３０００を探索ユニット２０００が測定すべきかおよびいずれの移動局３０００を基地ユニット１０００が解放すべきかについての制御を探索ユニット２０００のユーザに許可するためのユーザインターフェイス２５００も有している。ユーザは、少なくとも１つの移動局（３０００）の識別子を含む探索結果を無線インターフェイス（２４００）により基地ユニット転送することによって特定の移動局３０００との通信を終了あるいは再開するために、基地ユニット１０００と通話をする可能性も有している。ユーザインターフェイス２５００は、たとえばパワーを提示するために現実の移動局３０００（または移動局３０００）を示すＬＥＤ移動局パネル２５０４と、ボタンパネル２５０３と、ＬＥＤ  ＲＦパワーインディケータ２５１０と、オーディオＲＦパワーインディケータ２５２０とを含んでもよい。ＬＥＤ移動局パネル２５０４はたとえば各移動局３０００のために２つのＬＥＤを備えていてもよい。１つのＬＥＤは、移動局３０００が取得され、送信されることを示す。他のものは、探索ユニット２０００が移動局３０００からのパワーを計測しようとしているか否かを示す。各移動局３０００のＬＥＤ対のために、たとえば２つのボタンが存在してもよい。１つのボタン２５３２は、基地ユニット１０００に移動局３０００をリレースさせるための解放メッセージを、基地ユニット１０００に送信するためのものである。１つのボタン２５３１は、移動局３０００に割当てられたチャネルでＲＦパワーの測定のオンオフをするためのものである。基地ユニット１０００に送信される情報は、論理ユニット２２００によって無線手段２４００を介して送られる。
【００３６】
次の章では、ＧＳＭシステムとして機能する上記システムについて述べる。当該システムは、命名規則は他の規格とは異なるが、他の規格と同様な機能を備えていてもよい。
【００３７】
基地ユニット１０００は、探索エリアの移動局３０００に送信を開始させ、それからそのエリアの移動局３０００とのすべての通信を処理する。基地ユニット１０００は、全探索エリアを見渡せるいずれかの場所に置かれる。基地ユニット１０００の出力パワーは、ユーザインターフェイス１５００によって異なるレベルに設定される。パワーの出力レベルは、探索できるエリアのサイズを決める。救助作業を開始したとき、基地ユニット１０００は、近くの基地局が存在するか否かを判断するために、携帯サービスに用いられるすべての周波数帯をスキャンする。これはアンテナと無線機器１２００によってなされる。非リアルタイムコンピュータパーティション１１２０は、検出された基地局がＷＣＤＭＡの基地局か、ＧＳＭの基地局か、他の携帯規格を使用するものかを決定する。システムは、現在の基地局を妨害するときに、コンピュータ１１００によって制御され得る妨害手段を備える無線機器１２００によって送信される妨害パワーの基礎として後に用いるため、検出されたパワーレベルを基地局のデータベース１４００のリスト１４４０に格納する。
【００３８】
基地局が検出されると、システムは、それらのＢＣＨ信号伝達キャリアを妨害することを開始する。これも、アンテナおよび無線機器１２００によって遂行される。そして、新たな基地局は、基地ユニット１０００によって真似される。当該真似は、非リアルタイムコンピュータパーティション１１２０からのデータを用いて、リアルタイムコンピュータパーティション１１１０によって制御されるアンテナおよび無線機器ブロック１２００によってなされる。そして、いずれかの利用可能なＢＣＨチャネル上で固有のＬＡＩを用いた通信が開始する。移動局３０００は、それらの通常のネットワークにおける基地局との通信を維持または確立できないときには、移動局３０００は、この新たなキャリアを発見し、それに同乗するであろう。新たなＬＡＩであることを認識すると、移動局３０００は、位置更新（ＬＵ）の実行を試みる。当該通信の間、移動局３０００がＬＵの実行を試みたとき、移動局３０００は、アクセスバーストにおいてランダムな数字を送信する。この数字はリアルタイムコンピュータパーティション１１１０によって認識され、移動局３０００のアドレスを指定するために利用される。また、当該数字は、当該移動局３０００を他の移動局３０００と区別するために利用される。すなわち、ランダムな数字は移動局３０００を識別する。移動局３０００に移動局３０００を検出させる無線信号を送信させるために、リアルタイムコンピュータパーティション１１１０は、アンテナおよび無線機器１２００を介して移動局３０００との通信の制御を開始する。各移動局３０００にはリアルタイムコンピュータパーティション１１１０によって固有のチャネル（たとえばＧＳＭの場合周波数およびタイムスロット）が割当てられている。ランダムな数字とともにチャネルは、移動局３０００を区別するためにシステムにとって必要とされるすべてである。使用されないチャネルについての情報は、非リアルタイムコンピュータパーティション１１２０からリアルタイムコンピュータパーティション１１１０に送信される。すべての移動局３０００にチャネルが割当てられているとき、移動局３０００がそれらの以前の可能性のある基地局に切換る試みがなされないように、無線機器１２００は、他のＢＣＨキャリアの妨害を止める。上述したすべてのＧＳＭの信号伝達は、リアルタイムコンピュータパーティション１１１０によって構成されかつ時刻決めがなされ、アンテナおよび無線機器１２００に含まれる無線電子部品によって変調される。
【００３９】
非リアルタイムコンピュータパーティション１１２０は、当該エリアにおける移動局３０００の数を、それらの個々の識別子を含めて、無線手段２４００を使用している１または複数の探索ユニット２０００に伝達する処理を開始する。移動局３０００は、送信するチャネルも伝達する。このデータは、基地ユニット１０００から少なくとも１つの探索ユニット２０００に転送される探索情報として利用される。各探索ユニット２０００は、無線インターフェイス２４００によって、基地ユニット１０００からこの探索情報を受信することができる。探索ユニット２０００は、基地ユニット１０００によって、移動局３０００に割当てられたすべてのチャネルを聞くことを選択してもよいし、ただ１つのチャネルを聞くことを選択してもよいし、あるいはいずれかのチャネルの組合せを聞くことを選択してもよい。これは適切な指示がＲＦパワー測定ユニット２３００に送られることによって、論理ユニット２２００によってなされる。これにより、救助チームはより組織化された探索をできる。探索ユニット２０００は、たとえばオーディオトーン２５２０のボリュームおよびまたはＬＥＤパワーインディケータ２５１０によって、探索ユニット２０００のユーザに中継されるＲＦ信号強度を測定する。
【００４０】
本発明をさらに説明するために、図２に、基地ユニット１０００と移動局３０００との間の信号伝達のブロック図を示している。
【００４１】
図２に示されている以下のステップが実行される。
ｓ２００において、移動局３０００は、ＲＡＣＨチャネルでチャネル要求メッセージを要求位置更新とともに基地ユニット１０００に送る。基地ユニット１０００は、ｓ２１０において、ＡＧＣＨチャネルを介して即時割当メッセージで応答する。登録されたチャネルは、ＳＤＣＣＨチャネルである。移動局３０００は、移動局３０００が基地局を変更しないことを意味する専用モードに入る。
【００４２】
ｓ２２０において、移動局３０００は、位置更新要求メッセージを、特に移動局の識別子を含めて、ＳＤＤＣＨチャネルを介して基地ユニット１０００に送信する。当該識別子は、たとえばＩＭＳＩナンバーまたはＴＩＭＳＩナンバーとすることができる。
【００４３】
（基地ユニット１０００のデータベース１４００の無視すべきユニットのリスト１４２０に保持された）基地ユニット１０００によって無視されるべき移動局３０００のリストに対する、移動局３０００の識別子のチェックによって、２つのうちの１つの事象が起こる。探索を通じて、探索エリアの移動局３０００の識別子は、無視するリスト１４２０の移動局３０００と比較される。もし、移動局３０００の識別子が無視するリスト１４２０に存在すれば、位置更新拒否メッセージが移動局３０００に送信される。これは、ｓ２４０においてなされる。メッセージは、このＰＬＭＮが移動局３０００に許可されていないことを示している。移動局３０００は、それから、他の基地局すなわち通常の携帯ネットワークにおける以前の基地局に留まる試みをｓ２５０で行なう。上記探索を通して、上述した無視するリスト１４２０に登録されている移動局３０００とのコミュニケーションは、位置ユニット１０００によって終了する。これは、新たな移動局３０００が無視するリスト１４２０に追加されるたびに連続して行なわれる。
【００４４】
識別子が無視するリスト１４２０にない場合、ｓ２３０において、位置更新容認メッセージが移動局３０００に送られる。メッセージには、さらなるメッセージが送られるであろうことが記述されている。
【００４５】
それから、基地ユニット１０００と移動局３０００との間の接続が確立され、基地ユニット１０００と移動局３０００とは、移動局３０００が連続的に無線バーストを送信し得るように通信する。基地ユニット１０００は、移動局３０００にさらなる情報が送られるであろうということを通知し続けることによって、移動局３０００を専用のモードにし続けることが可能であるため、移動局３０００を探索可能とし得る。探索ユニット２０００は、この間、探索エリアにおいて、ＳＤＣＣＨ上で移動局３０００の無線信号を探索することができる。
【００４６】
これを達成するための一つの例示的な方法は、基地ユニット１０００に、要求されているのがＩＭＳＩナンバーであることが特定されている識別子要求メッセージを、移動局３０００に対して送信させることによりなされる。これは、ｓ２６０においてなされる。それから、ｓ２７０において、移動局３０００は、ＩＭＳＩナンバーを含む識別子応答メッセージにより基地ユニット１０００に応答する。
【００４７】
最後の２つのステップｓ２６０およびｓ２７０は、移動局３０００が連続してデータを送信し、かつ移動局３０００が基地局を変更可能なアイドルな状態にモードを変更しないことを、繰り返し保証し得る。この間、救助ユニットは、探索エリアの移動局３０００を探す。基地ユニット１０００と移動局３０００との間の通信は、すべての探索エリアのすべての移動局３０００の所在が発見されるまで続けられる。
【００４８】
同様に、基地ユニット１０００は、ＧＳＭ規格に規定された位置更新シーケンスにおいて、移動局３０００が基地ユニット１０００にとどまっている後も、無線バーストの連続した送信を強制し続けることができる。これは、たとえば、繰返しページング要求メッセージを関心のある移動局３０００／複数の移動局３０００に送信することによって、あるいは移動局３０００から応答を引き起こす他のメッセージを送信することによって実現される。ページング要求の場合、話し掛けられた移動局３０００は、それから、ページング応答メッセージを基地ユニット１０００に送信するであろう。
【００４９】
本発明をさらに説明するために、図３には、移動局の探索を支援するための方法の一般的フローの例を示している。
【００５０】
フローは、ｓ３００で開始する。ｓ３００では、システムの基地ユニット１０００は、他の携帯無線通信ネットワークのアクティブな基地局の可能性のある存在を検出する。そのような基地局が存在する場合には、基地ユニット１０００は、ｓ３１０において基地局の信号強度を測定するとともに、ｓ３２０において、これらの基地局によって使用されている周波数も測定する。
【００５１】
本発明に従えば、ｓ３３０において、基地局は基地ユニット１０００によって導入される。導入の後に、この基地局は、他の基地局の上述した検出した周波数を妨害するのに使われる。次のステップは、基地ユニット１０００の範囲内にあるすべての移動局３０００との通信を確立することである。これはｓ３５０においてなされる。ｓ３６０において、各移動局３０００には専用のチャネルが割当てられ、専用のチャネルは残りの探索フローを通して利用される。探索の間、ｓ３７０において、使用される情報は基地ユニット１０００から探索ユニット２０００に転送される。
【００５２】
ｓ３８０において、探索情報は探索ユニット２０００のユーザに対して提示される。その後、ｓ３９０において、探索ユニット２０００のユーザは、複数の移動局３０００の１つを探索するために選択する。
【００５３】
ＵＭＴＳでは基地局の認証がある。すなわちオペレータからの情報は、新たな基地局をセットアップするために必要とされる。この情報を有することにより、ＵＭＴＳの場合において同様なアプローチを使用することが可能となる。加えて、世界市場（日本および可能性のあるいくつかの他の国を除く）で現在成長しているＵＭＴＳ電話は、ＧＳＭプロトコルもサポートしている。このことは、現在存在する解決法をＵＭＴＳ携帯電話の位置の特定に使用できることを意味している。すべてのＧＳＭ局を妨害することに加え、すべての現在のＵＭＴＳ Node-b′s は同様に妨害される。これは“Real-time 3G UMTS terminal detection”by Vales-Alonso et al, IEEE Communications Letters, Vol.6, Issue 3, pp 123-125, 2002.に記述されている。これは、ＷＣＤＭＡトランスミッタを有するすべてのＵＭＴＳ Node b′s に使用されているパブリックコードを使用することによってなされる。これにより電話はＧＳＭモードとなり、基地ユニットが発見される。
【００５４】
システムの使用および振る舞いは、図４に従うシナリオ例の中に記述されている。図４は、３人の犠牲者が埋まっている雪崩が起こっているエリアを含む地図を示す。各犠牲者は、電源が投入されている移動局を所持している。その場所に到着した救助チームは逞しい３人の人間であり、各救助チームのメンバーは、図１を参照して上述した探索ユニットを所持している。これに加え、近くの周辺には４人の他の移動局ユーザがいる。
【００５５】
図４においては、救助隊の探索ユニットは、ＲＵ１、ＲＵ２およびＲＵ３によって示されている。犠牲者の移動局は、ＶＭＳ１、ＶＭＳ２およびＶＭＳ３によって表わされている。雪崩の中にない移動局は、ＵＭＳ１、ＵＭＳ２、ＵＭＳ３およびＵＭＳ４によって表わされている。基地ユニットは、１０００によって表わされている。ＡＡ／ＳＡによって示した強調されたグレーのエリアは雪崩エリアであり、このシナリオにおいて探索されるエリアである。図４における曲線は等高線であり、そのいくつかはＡＣＬによって示されている。等高線は、その地形の急斜面を示している。
【００５６】
関係するユニットの位置は図４に示されている。
救助隊は、雪崩堆積物（avalanche deposit）に到着し、全探索エリアを見渡すことができる基地ユニット１０００にとって好適なポジションを探す。図１を参照して、上記のように説明した基地ユニット１０００は、最初に、上記エリアでアクティブな可能性のある存在する携帯通信ネットワークに属する基地局を検出するため、オペレータによって起動させられる。
【００５７】
このシナリオにおいては、他の携帯通信ネットワークはそのエリアではアクティブである。そのため、基地ユニット１０００は、次いで、検出された基地局を妨害することを続ける。
【００５８】
基地ユニット１０００から遠く離れたＵＭＳ３を除いたすべての移動局は、この時点において妨害の影響を受ける。妨害は、移動局からのセル再選択を引き起こすダウンリンクの失敗を生ずる。これは精々５．３秒かかる。基地ユニット１０００が妨害を開始したとき、ＵＭＳ１は、終了させられる電話に含まれる。
【００５９】
妨害が開始したのと同時に、新たな基地局の機能は、そのエリアの他の基地局によって使用されていない周波数で、基地ユニット１０００によって真似される。ＵＭＳ３を除くすべての移動局は、元の基地局とのダウンリンクに失敗したことを宣言するや否や、この新たな基地局に同調しようと試みる。移動局は、この基地局が移動局の以前のＬＡＩとは異なるＬＡＩナンバーを有していると見なす。これにより、位置更新を引き起こす。影響を受ける移動局は、各移動局に対して１つのデータチャネルを割当てる基地ユニット１０００からのデータチャネルを要求する。次いで、移動局は、移動局の識別子を含む移動局の位置更新要求メッセージを送信する。妨害は、ちょうど８秒未満の間アクティブであった後に中止される。
【００６０】
基地ユニット１０００は、興味のあるすべての移動局と接触する。望んでいない移動局を排除するために、基地ユニット１０００は、すべての電話に対し、進行中の雪崩の救助作業を進めるためにユーザに彼らの電話の電源を切るように求めるブロードキャストＳＭＳを送信する。もう１つの方法として、ブロードキャストの電話が同様の効果を得るために使用できる。移動局のユーザは、彼らの電話を再スタートすることによって、通常の基地局との接続を得る。基地ユニット１０００と今通信を行なっているすべての電話は、ＳＭＳを受信する。
【００６１】
３人の雪崩犠牲者は、彼らの電話を電源オフすることもできないし、あるいはしようともしない。また、ＵＭＳ４も同様である。しかしながら、ＵＭＳ１およびＵＭＳ２は再起動される。ＵＭＳ１およびＵＭＳ２は、図２を参照して上記のように説明したように存在する電話のリストから取除かれ、それらの好ましい基地局に再接続する。
【００６２】
救助隊は、探索ユニットの助けを借りて探索エリアのスキャンを開始する。探索の間に探索ユニットオペレータとの間で交換する必要のあるメッセージは、たとえばトーキートーキー、プッシュツウトークあるいは同様機能を有することができる探索ユニットの手段によって口頭で転送され得る。この機能は、たとえば、図１を参照して上述した無線インターフェイス２４００に組込むことができる。また、基地ユニット１０００の無線インターフェイス１３００は、同様な機能を備えていてもよい。
【００６３】
ＲＵ１は、ＶＭＳ１からの信号を検出する。ＲＵ１は、そのオペレータによって、ＶＭＳ１のみを聞くように設定される。ＲＵ２も、ＶＭＳ１を直ちに検出する。しかしながら、他の探索ユニットのオペレータが、ＶＭＳ１を探している者はいないかを尋ねたとき、ＲＵ１のオペレータは、彼／彼女は既にその犠牲者の探索をしており、その犠牲者はＲＵ２のオペレータによって、測定された移動局の彼／彼女のリストから除外されるということを言う。これは、探索ユニットのユーザインターフェイス２５００によって実現される。代わりに、ＵＭＳ４は、ＲＵ２によって発見される。ＲＵ２は、そのオペレータによって、ＵＭＳ４のみを聞くように設定される。ＶＭＳ２は、ＲＵ３によって検出される。ＲＵ３は、そのオペレータによって、ＶＭＳ２のみを聞くように設定される。ＲＵ２は、ＵＭＳ４を探索する。ＲＵ２のオペレータによってＵＭＳ４は犠牲者でないことが判断される。図１を参照して、上述したように、そのとき、ＲＵ２のオペレータによってＵＭＳ４の位置を知らせるデータを基地ユニット１０００に送信することによって、無視するリスト１４２０にＵＭＳ４を追加することが開始される。基地ユニット１０００は、無視するリスト１４２０および探索情報をアップデートし、当該アップデートした探索情報を救助チームのメンバーが所持する探索ユニットに転送する。ＲＵ２のオペレータは、彼の同僚により、ＶＭＳ３のみが探されていないことを伝えられる。基地ユニット１０００は、ＵＭＳ４との接続を閉じる。ＵＭＳ４は、直ちに、以前の基地局を探索し、かつ見つける。
【００６４】
救助隊は、直ちに、彼らの個々の犠牲者の発見を続ける。
犠牲者が救助されると、残りの犠牲者の探索を可能な限り効率よく行なうために、その移動局は基地ユニット１０００の無視するリスト１４２０に追加される。救助隊は、すべての犠牲者の位置を特定するまで探索を続ける。
【００６５】
本発明によって与えられるさらなる有利な点は、たとえば以下の点を含む。
・付近に他の基地局があるときであっても、上記システムは未知の移動局との通信を確立しおよび維持することができる。
・上記システムは、可能な携帯ネットワークインフラおよびオペレータから独立しており、携帯受信エリアがあろうがなかろうが動作する。
・移動局に、効率的な手動探索を可能とするのに大抵十分な（少なくとも１秒当たり数回）送信を強いることができる。
・可能性のある他のアクティブな基地局の妨害は、システムが他の無線トラフィックとの干渉なく動作した後の最初の短い期間の間に行なわれるだけである。
・上記システムは、電話をでき、あるいはユーザに再び適切に動作させるため彼らの移動局を再起動することを促す情報性のあるＳＭＳメッセージを送信することができる。このことは、犠牲者によって所持されていない移動局は探索から除外することができ、通常の携帯無線トラフィックに対する妨害を最小限とし続けることができることを意味する。
・上記システムは、探索エリアの最大検出基地局パワーに基づいて、必要以上に強い信号を送信することなく現在の基地局を妨害し、通常のトラフィックとの干渉を最小限のレベルに維持できる最適なパワーを決定する。
・探索しているときには、１つの移動局あるいは移動局のグループは、他の物から区別することができる。
・上記システムは、認証から数秒以内に、救助に従事するものに、そのエリアにどれぐらいの数の電話（可能性の犠牲者）がいるかを示す図を与える。
・ＧＳＭ周波数の利用により、高い指向性のアンテナを発信元の方向を決定するのに用いることができる。他の雪崩救助システムは、もっと低い周波数を用いるため、方向の評価が難しく精度も低下する。
・上記システムは、取得した移動局をいつでも解放することができる一方で他のものを基地ユニットに固定させ続けることができる点において柔軟である。
【００６６】
本発明は、添付した図面に基づく例を参照し上記のように示したが、本発明はそれに限定されることがないのは明らかであり添付のクレームの範囲内においてさまざまに変更することができる。
【００６７】
ＰＣＳおよびＤＣＳ帯域を含むＧＳＭ規格の使用を主として述べた上記詳細な説明から、当業者は、本発明をたとえばＷＣＤＭＡ、ＣＤＭＡ２０００、およびＩＳ−９５などの他の規格の利用でも適用することができる。
【図１】
2010534016.tif 000003
【図２】
2010534016.tif 000004
【図３】
2010534016.tif 000005
【図４】
2010534016.tif 000006
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
無線周波数領域において動作する少なくとも１つの移動局（３０００）の探索を支援する、アンテナ配列（２１００）を含んだ少なくとも１つの探索ユニット（２０００）と、探索エリア内の移動局と通信するようにされた基地ユニット（１０００）とを備えた方法であって、
基地ユニット（１０００）と前記探索エリアの移動局（３０００）との間の通信の確立によって、前記基地ユニット（１０００）における基地局機能の手段に基づき、前記探索エリアの移動局（３０００）を識別し、前記移動局（３０００）用の専用の通信チャネルを設定するステップと、
移動局の識別子と前記探索エリアにおける各移動局（３０００）用の対応専用通信チャネルとを含む、前記探索エリアにおける各前記移動局に関する探索情報を、前記基地ユニット（１０００）において確立するステップと、
前記探索エリアの前記移動局（３０００）に関する前記探索情報を、前記基地ユニット（１０００）から前記少なくとも１つの探索ユニット（２０００）に転送するステップと、
前記探索エリアの前記少なくとも１つの移動局に関する前記探索情報を、前記少なくとも１つの探索ユニット（２０００）において提示するステップと、
前記少なくとも１つの探索ユニット（２０００）による、前記提示された探索情報に基づく前記探索エリアの少なくとも１つの前記移動局（３０００）の探索を開始するステップとを備えることを特徴とする方法。
【請求項２】
前記探索エリアにおける可能性のある他のアクティブな携帯無線通信ネットワークの基地局を検出するステップ（ｓ３００）によって特徴付けられる、請求項１に記載の方法。
【請求項３】
前記探索エリアにおける可能性のある他のアクティブな携帯無線通信ネットワークの信号強度を測定するステップ（ｓ３１０）によって特徴付けられる、請求項２に記載の方法。
【請求項４】
前記探索エリアにおけるアクティブであって可能性のある他の携帯無線通信ネットワークの基地局によって、どの周波数が使用されているかを、前記基地ユニット（１０００）において測定するステップ（ｓ３２０）によって特徴付けられる、請求項１〜３のいずれか１項に記載の方法。
【請求項５】
前記測定された周波数を前記基地ユニット（１０００）により妨害することにより、前記探索エリアの移動局（３０００）が前記他の携帯無線通信ネットワークと通信不可能とするステップによって特徴付けられる、請求項４に記載の方法。
【請求項６】
前記他の携帯無線通信ネットワークによって送信される前記周波数とは異なる周波数のＲＦ信号を前記基地ユニット（１０００）が送信することによって、前記探索エリアにおいて、前記基地ユニット（１０００）と前記移動局（３０００）との間の通信を確立するステップによって特徴付けられる、請求項３に記載の方法。
【請求項７】
前記基地ユニット（１０００）が前記移動局（３０００）に連続的に無線バーストを送信させることにより、前記基地ユニット（１０００）と前記探索エリアの前記移動局（３０００）との通信を維持することを特徴とする、請求項１〜６のいずれか１項に記載の方法。
【請求項８】
前記基地ユニット（１０００）が、前記探索エリアの移動局からの応答を引き起こすための繰り返しのメッセージを送信して、前記移動局（３０００）が基地局を変更可能なアイドルモードに入ることを防ぐことを特徴とする請求項７に記載の方法。
【請求項９】
前記基地ユニット（１０００）から前記探索エリアの前記移動局（３０００）に識別子またはページング要求を送信するステップと、前記探索エリアの前記移動局（３０００）から前記識別子またはページング要求基準応答を前記基地ユニット（１０００）において受信するステップとの２つのステップを繰り返し実行することによって、前記基地ユニット（１０００）と前記探索エリアの前記移動局（３０００）との間の通信を維持することを特徴とする請求項８に記載の方法。
【請求項１０】
無線周波数領域において動作している少なくとも１つの移動局（３０００）の探索を支援するシステムであって、
アンテナ配列（１２００）と、無線手段（１２００）と、ユーザインターフェイス（１５００）と、無線インターフェイス（１３００）と、データベース（１４００）と、コンピュータ手段（１１００）とを含み、探索エリア内の移動局（３０００）と通信するようにされた可搬型の基地ユニット（１０００）と、
アンテナ配列（２１００）と、ユーザインターフェイス（２５００）と、無線インターフェイス（２４００）と、論理手段（２２００）とを含む少なくとも１つの探索ユニット（２０００）とを備えており、
前記基地ユニット（１０００）のコンピュータ手段（１１００）は、前記アンテナ配列と前記無線手段（１２００）とによる前記探索エリアにおける基地ユニット（１０００）と移動局（３０００）との間の通信の確立によって、基地局機能の手段に基づき、前記探索エリアの移動局（３０００）を識別し、前記移動局（３０００）用の専用の通信チャネルを設定するようにされており、
前記基地ユニット（１０００）は、前記探索エリアの各前記移動局（３０００）に関する探索情報を前記データベース（１４００）において確立するようにされており、前記探索情報は、前記探索エリアの各移動局（３０００）の移動局識別子と専用通信チャネルとを含み、
前記基地ユニット（１０００）は、前記探索エリアの移動局（３０００）に関する前記探索情報を、前記無線インターフェイス（１３００）によって前記少なくとも１つの探索ユニット（２０００）に転送するようにされており、
前記少なくとも１つの探索ユニット（２０００）は、前記探索エリアの前記移動局（３０００）に関する前記探索情報を、前記無線手段（２４００）によって前記基地ユニット（１０００）から受信するようにされており、
前記少なくとも１つの探索ユニット（２０００）は、前記探索エリアの少なくとも１つの前記移動局（３０００）に関する探索情報を、前記ユーザインターフェイス（２５００）によって提示するようにされており、
前記少なくとも１つの探索ユニット（２０００）は、前記ユーザインターフェイス（２５００）からの制御信号を受信するようにされた、アンテナ配列（２１００）と論理手段（２２００）とによって、前記提示された探索情報に基づいた、前記探索エリアの少なくとも１つの前記移動局（３０００）の探索を開始するように、および当該探索を支援するようにされていることを特徴とするシステム。
【請求項１１】
前記基地ユニット（１０００）は、前記探索エリアにおける可能性のある他のアクティブな携帯無線通信ネットワークを検出するようにされていることを特徴とする請求項１０に記載のシステム。
【請求項１２】
前記基地ユニット（１０００）は、前記探索エリアにおける可能性のある他のアクティブな携帯無線通信ネットワークの信号強度を測定するようにされていることを特徴とする請求項１１に記載のシステム。
【請求項１３】
前記基地ユニット（１０００）は、前記探索エリアにおけるアクティブであって可能性のある他の携帯無線通信ネットワークの基地局によって、どの周波数が使用されているかを測定するようにされていることを特徴とする請求項１０から１２のいずれか１項に記載のシステム。
【請求項１４】
前記基地ユニット（１０００）は、前記測定された周波数を妨害することにより、前記探索エリアの移動局（３０００）が前記他の携帯無線通信ネットワークと通信不可能とするようにされていることを特徴とする請求項１３に記載のシステム。
【請求項１５】
前記基地ユニット（１０００）は、前記他の携帯無線通信ネットワークによって送信される前記周波数とは異なる周波数のＲＦ信号を送信することによって、前記基地ユニット（１０００）と前記探索エリアの前記移動局（３０００）との間の通信を確立するようにされていることを特徴とする請求項１２に記載のシステム。
【請求項１６】
前記基地ユニット（１０００）が前記移動局（３０００）に連続的に無線バーストを送信させるようにされていることにより、前記基地ユニット（１０００）と前記探索エリアの前記移動局（３０００）との通信を維持することを特徴とする、請求項１０〜１５のいずれか１項に記載のシステム。
【請求項１７】
前記基地ユニット（１０００）が、前記探索エリアの移動局からの応答を引き起こすための繰り返しのメッセージを送信して、前記移動局（３０００）が基地局を変更可能なアイドルモードに入ることを防ぐようにされていることを特徴とする請求項１６に記載のシステム。
【請求項１８】
前記基地ユニット（１０００）は、前記基地ユニット（１０００）から前記探索エリアの前記移動局（３０００）に識別子またはページング要求を送信するステップと、前記探索エリアの前記移動局（３０００）から前記識別子またはページング要求基準応答を受信するステップとの２つのステップを繰り返し実行することによって、前記探索エリアの前記移動局（３０００）との通信を維持するようにされていることを特徴とする請求項１７に記載のシステム。
【請求項１９】
無線周波数領域において動作している少なくとも１つの移動局の探索を支援する基地ユニット（１０００）であって、前記基地ユニット（１０００）は、アンテナ配列（１２００）と、無線手段（１２００）と、ユーザインターフェイス（１５００）と、無線インターフェイス（１３００）と、データベース（１４００）と、コンピュータ手段（１１００）とを備え、前記基地ユニット（１０００）は、前記無線周波数領域において検索エリア内で動作している移動局（３０００）と通信するようにされており、
前記基地ユニット（１０００）のコンピュータ手段（１１００）は、前記アンテナ配列と前記無線手段（１２００）とによる基地ユニット（１０００）と前記探索エリアの移動局（３０００）との間の通信の確立によって、基地局機能の手段に基づき、前記探索エリアの移動局（３０００）を識別し、前記移動局（３０００）用の専用の通信チャネルを設定するようにされており、
前記基地ユニット（１０００）は、前記探索エリアの各前記移動局（３０００）に関する探索情報を前記データベース（１４００）において確立するようにされており、前記探索情報は、前記探索エリアの各移動局（３０００）の移動局識別子と専用チャネルとを含み、
前記基地ユニット（１０００）は、前記探索エリアの移動局（３０００）に関する前記探索情報を、前記無線インターフェイス（１３００）によって前記少なくとも１つの探索ユニット（２０００）に転送するようにされていることを特徴とする基地ユニット（１０００）。
【請求項２０】
前記探索エリアにおける可能性のある他のアクティブな携帯無線通信ネットワークを検出するようにされていることを特徴とする請求項１９に記載の基地ユニット（１０００）。
【請求項２１】
前記探索エリアにおける可能性のある他のアクティブな携帯無線通信ネットワークの信号強度を測定するようにされていることを特徴とする請求項２０に記載の基地ユニット（１０００）。
【請求項２２】
前記探索エリアにおけるアクティブであって可能性のある他の携帯無線通信ネットワークの基地局によって、どの周波数が使用されているかを測定するようにされていることを特徴とする請求項１９から２１のいずれか１項に記載の基地ユニット（１０００）。
【請求項２３】
前記測定された周波数を妨害することにより、前記探索エリアの移動局（３０００）が前記他の携帯無線通信ネットワークと通信不可能とするようにされていることを特徴とする請求項２２に記載の基地ユニット（１０００）。
【請求項２４】
前記他の携帯無線通信ネットワークによって送信される前記周波数とは異なる周波数のＲＦ信号を送信することによって、前記探索エリアの前記移動局（３０００）と通信を確立するようにされていることを特徴とする請求項２１に記載の基地ユニット（１０００）。
【請求項２５】
前記基地ユニット（１０００）が前記移動局（３０００）に連続的に無線バーストを送信させるようにされていることにより、前記基地ユニット（１０００）と前記探索エリアの前記移動局（３０００）との通信を維持することを特徴とする、請求項１９〜２４のいずれか１項に記載の基地ユニット。
【請求項２６】
前記基地ユニット（１０００）が、前記探索エリアの移動局からの応答を引き起こすための繰り返しのメッセージを送信して、前記移動局（３０００）が基地局を変更可能なアイドルモードに入ることを防ぐようにされていることを特徴とする請求項２５に記載の基地ユニット。
【請求項２７】
前記探索エリアの前記移動局（３０００）に識別子またはページング要求を送信するステップと、前記探索エリアの前記移動局（３０００）から前記識別子またはページング要求基準応答を受信するステップとの２つのステップを繰り返し実行することによって、前記探索エリアの前記移動局（３０００）との通信を維持するようにされていることを特徴とする請求項２６に記載の基地ユニット（１０００）。
【請求項２８】
無線周波数領域において動作している少なくとも１つの移動局の探索を支援する探索ユニット（２０００）であって、探索ユニット（２０００）は、アンテナ配列（２１００）と、ユーザインターフェイス（２５００）と、無線インターフェイス（２４００）と、論理手段（２２００）とを備え、
前記探索ユニット（２０００）は、前記探索エリアの前記移動局（３０００）に関する前記探索情報を、前記無線手段（２４００）によって前記基地ユニット（１０００）から受信するようにされており、前記探索情報は、前記探索エリアの各移動局の移動局識別子と専用通信チャネルとを含み、
前記探索ユニット（２０００）は、前記探索エリアの少なくとも１つの前記移動局（３０００）に関する探索情報を、前記ユーザインターフェイス（２５００）によって提示するようにされており、
前記探索ユニット（２０００）は、前記ユーザインターフェイス（２５００）からの制御信号を受信するようにされた、アンテナ配列（２１００）と論理手段（２２００）とによって、前記提示された探索情報に基づいた前記探索エリアの少なくとも１つの前記移動局（３０００）の探索を開始するように、および当該探索を支援するようにされており、前記探索は、前記探索ユニット（２０００）に前記探索情報に含まれる専用通信チャネルの少なくとも１つを聞かさせることも含んでいる、ことを特徴とする探索ユニット（２０００）。
【請求項２９】
前記探索ユニット（２０００）は、前記無線インターフェイス（２４００）によって、探索結果と他の情報とを前記基地ユニット（１０００）に転送するようにされていることを特徴とする請求項２８に記載の探索ユニット（２０００）。
【手続補正２】
【補正対象書類名】明細書
【補正対象項目名】０００７
【補正方法】変更
【補正の内容】
【０００７】
ＥＳ０２１５６５５２Ａ１には、未知の携帯電話に基地局を変化させ、受信機により検出される位置更新メッセージを携帯電話が送信することによって、未知の携帯電話を検出する方法が示されている。この方法は、たとえば飛行機または病院などの携帯電話のトラフィックがある種制限されたエリアにおいて使えるようにされた（電源が投入された）携帯電話を検出することを目的とする。しかしながら、この方法は、探索業務において携帯電話の位置を特定するためには有効ではない。なぜなら、この方法の主目的は、システムの受信エリアにおいてアクティブな携帯電話がいるかどうかを判断することであり、携帯電話の位置を正確に特定することではないためである。 “Experimental real-time detector of GSM terminals”by Vales-Alonso et al, IEEE Communications Letters, Vol.7, Issue 3, pp 148-149, 2003,に示されているように、ただ１つの位置更新メッセージが送信されるという事実のために、位置を特定する処理は現実できない。
先行技術は、ＵＳ２００４／０１９８３８１も含む。
【国際調査報告】
2010534016.tif 000007
2010534016.tif 000008